(57)【要約】【課題】  ベランダの手摺や物干し竿に両布団や毛布など干す時、手摺の場合裏面が外壁の壁に密着し、又物干し竿の場合は裏面と裏面を密着させて洗濯バサミや布団バサミなどで両サイド止めているので両方共寝汗は乾燥出来ず、ダニやほこりなど取りのぞく事が出来ず不衛生であり健康的でない【解決手段】  本考案のアコデオンカンソウ台をベランダや物干し竿に用途に応じて垂直にたらし壁と干し物、干し物と干し物の間に１０Ｃｍのみぞももうける事により風通しが良くなり、日光もさしこむので衛生的で健康的である【選択図】図１
0003129234.tif 000002
【実用新案登録請求の範囲】
【請求項１】
本考案のアコデオンカンソウ台はプラスチックの板でそれを巾１０ｃｍ厚み５ｍｍの正方形の板にして正チドリ状に組み立て長さ１．５ｍにする。その板４枚で一組とし、その板を上から１板２板３板４板とする。１板〜４板には山頂が１５山出来る。１板には１山３山５山７山９山１１山１３山１５山８ヵ所には物干し竿通し丸カン直径５ｃｍ厚み２ｍｍがつけてある。そしてその８ヵ所の丸カンには長さ３０ｃｍ紐を取りつけその先端にはフックが付いている。１板〜４板の１山と２山、１４山と１５山の底に板の真中５ｃｍに穴をあけて１板と２板と３板と４板に各３０ｃｍ紐で固定してあり１板〜４板は一体化し１板〜４板の８山目には巾の中心５ｃｍの所に全部直径２ｍｍの穴をあけ、長さ１．３ｍの紐を取りつけ１板にはひもぬけ防止器具を取り付け又４板の底面にはカンソウ台吊り上げ器具が付いている。そして１板についているひもぬけ防止器具を引き上げる事により、４板の底面に付いている吊り上げ器具が持ち上げられる事により４板が吊り上げられさらに引き上げることにより４板の表面の１５山が３板の底面の山１５山に密着することで４板と３板が一体化し、さらに紐を引き上げる事により３板の表面１５山が２枚の底面１５山が密着する事で４板３板２板が一体化し、さらに紐を引き上げる事により２板の表面の１５山が１板の底面１５山に密着する事で１板〜４板が一体化し厚み２ｃｍ長さ１．５ｍ巾１０ｃｍの１枚の板になったら４板の側面左右先端３ｃｍ手前にカンソウ台止めバンドが取りつけてあり４枚の板に左右カンソウ台止めバンドではさむ事により１板〜４板がずれ落ちる事は無い。又４板の１６の山の底面には丸カン直径３ｃｍ厚み２ｍが取りつけてありその穴に下着類やＹシャツなどハンガーかけで干す事が出きるそのものに関するものである。
【考案の詳細な説明】
【技術分野】
【０００１】本考案は、プラスチック製で出来ている板を正チドリ状板、チドリ板４枚を１組とし、ベランダの手摺や物干し竿にかけ、垂直にたらして干し物を干すことに関する物である。
【背景技術】
【０００２】一戸建て、マンション、アパートのベランダで、敷き布団、掛け布団、毛布など干すときずれ落ちない様にするため半分に折ってベランダの外壁の壁に干し物の裏面が密着させて干していたし、毛布を物干し竿に干すとき裏面どうしを密着させ、両サイドを洗濯バサミで止めて干していた
【考案の開示】
【考案が解決しようとする課題】
【０００３】ベランダの手摺に両布団や毛布など干すとき、干し物の裏面が直接ベランダの外壁の壁に密着するため、風通しが悪く日光も遮ってしまい寝汗は乾燥出来ず、ダニやほこりをとりのぞく事が出来ずにいたし、又物干し竿に両布団や毛布など干す時、裏面と裏面を密着させて、布団バサミや洗濯バサミなどで両サイドを止めていたため、風通しが悪く日光も遮っているので寝汗は乾燥出来ずダニやほこりをとりのぞく事が出来ず不衛生で健康的でないのでその欠点を解決しようとするものである
【課題を解決するための手段】
【０００４】本考案のアコデオンカンソウ台をベランダの手摺に１板についている全部の丸カンについている３０Ｃｍのひもを１回転させひもの先端についているフックを丸カンにひっかけカンソウ台を垂直にたらす事により外壁の壁と干し物全体に１０Ｃｍのみぞができ、又１板についている丸カン全部に物干し竿を通して物干し竿かけに垂直につるすことにより裏面と裏面のあいだが干し物全体に１０Ｃｍのみぞが出来るので両方共風通しがよくなり、日光もさしこむので上述の問題点を解決している
【考案の効果】
【０００５】上述の様に用途に応じてアコデオンカンソウ台を取り付けることにより、両方共裏面に当たる部分に１０Ｃｍのみぞが出来るため風通しが良くなり、日光もさしこむので寝汗は乾燥出来、又ダニやほこりなどをとりのぞく事が出来るし、両布団、毛布など干し物の綿や羽毛や毛が空気をいっぱい蓄える事が出来るので、両布団や毛布などフカフカになり、衛生的健康釣であり安眠に役立つ
【考案の実施するための最良の形態】
【０００６】▲１▼上述の様に本考案のアコデオンカンソウ台を物干し竿に取り付ける場合は丸カン全部に物干し竿を全部通して垂直にたらす
▲２▼ベランダに取り付ける場合は丸カンに付いているひもを全部手摺に１回転させひもの先端についているホックを丸カンにかけて手摺と一体化させ外壁の壁に対して垂直にたらしカンソウ台の側面を密着させる
【図面の簡単な説明】
【０００７】
【図１】  アコデオンカンソウ台の全体図
【図２】  アコデオンカンソウ台ベランダかけ側面図
【図３】  アコデオンカンソウ台吊り上げ金具又吊り上げ穴拡大図
【図４】  アコデオンカンソウ台４板ハンガーかけわっか拡大図
【図５】  アコデオンカンソウ台ベランダかけ拡大図
【図６】  アコデオンカンソウ台物干し竿かけ拡大図
【図７】  アコデオンカンソウ台１板〜４板止めゴムバンド左右拡大図
【図８】  アコデオンカンソウ台左１板〜４板一体化ヒモ
【図９】  アコデオンカンソウ台右１板〜４板一体化ヒモ
【符号の説明】
【０００８】１    アコデオンカンソウ台
２    一体化つり下げひも
３    アコデオンカンソウ台つり上げひも
４    アコデオンカンソウ台つり上げ金具
５    アコデオンカンソウ台止めバンド
６    ４板ハンガーかけわっか
７    ベランダかけひも止め具
８    アコデオンカンソウ台物干し竿通し丸カン
９    一体化つり下げひも止め具
１０  つり上げひも落下止め具
１１  ベランダの壁の断面
１２  アコデオンカンソウ台つり上げつり下げ穴
１３  物干し竿
１４  ベランダ手摺上部
【図１】
0003129234.tif 000003
【図２】
0003129234.tif 000004
【図３】
0003129234.tif 000005
【図４】
0003129234.tif 000006
【図５】
0003129234.tif 000007
【図６】
0003129234.tif 000008
【図７】
0003129234.tif 000009
【図８】
0003129234.tif 000010
【図９】
0003129234.tif 000011
【手続補正書】
【提出日】平成18年10月27日(2006.10.27)
【手続補正１】
【補正対象書類名】実用新案登録請求の範囲
【補正対象項目名】全文
【補正方法】変更
【補正の内容】
【実用新案登録請求の範囲】
【請求項１】
本考案のアコデオンカンソウ台はプラスチック製の板でそれを巾１０ｃｍ厚み５ｍｍの正方形の板にして正チドリ状に組み立て長さ１．５ｍにし、その板４枚で一組とし、その板を上から１板、２板、３板、４板とし、１板−４板には山頂が１５山出来るのでその山の１山、３山、５山、７山、９山、１１山、１３山、１５山、８ヵ所には物干し竿通し丸カン直径５ｃｍ厚み２ｍｍを取り付け、そしてその８ヵ所の丸カンには長さ３０ｃｍの紐を取り付けその先端にはフックが付いていて、１板−４板の１山と２山、１４山と１５山の底面に板の真中の５ｃｍ所に２ｍｍの穴をあけて１板と２板、２板と３板、３板と４板、に各３０ｃｍの紐で固定してあり１板−４板は一体化し１板−４板の中心の８山目には巾の中心５ｃｍの所に全板直径２ｍｍの穴をあけて長さ１ｍの紐を取り付けて１板８山目には紐抜け防止器具を取り付け、又４板の８山目の底面にはカンソウ台吊り上げ器具が付いていてそして、１板についている紐抜け防止器具を引き上げることにより、４板の底面に付いている吊り上げ器具が４板を持ち上げられるし、さらに引き上げることにより４板の表面の１５山が３板の底面の山、１５山に密着する事で４板と３板が一体化し、さらに紐を紐を引き上げる事により３板の表面１５山が２板の底面１５山が密着することで、４板、３板、２板が一体化し、さらに紐を紐を引き上げる事により２板の表面の１５山が１板の底面１５山に密着する事で１板−４板が一体化し厚み２ｃｍ、長さ１．５ｍ、巾１０ｃｍの１枚の板状になったら４板の側面左右先端３ｃｍ手前にカンソウ台止めバンドが取り付けてあり４板の板に左右カンソウ台止めバンドではさむ事により１板−４板がずれ落ちる事がなくなりまた４板の１６の山の底面には丸カン直径３ｃｍ厚み２ｍｍが取り付けてありその穴に下着類やＹシャツ、Ｔシャツなどハンガーにかけて干す事が出来るアコーデオンカンソウ台